(57)【要約】液体を吸収するための製品に用いられる吸収性コアアセンブリが開示される。コアアセンブリは、第１のセクション及び第２のセクションを有する。第１のセクションは、低速で作用するが吸収能力の高いＳＡＰをその中に含むキルティングされた多孔質材料である。第２のセクションは、高速で作用するが吸収能力の低いＳＡＰをその中に含むキルティングされた多孔質材料である。第１及び第２のセクションは互いに流体を通すように連通しており、コアアセンブリに触れた液体は、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収することによって液体をコアアセンブリ内に捕捉する。
2019506946.tif 000002
【特許請求の範囲】
【請求項１】
生物に用い、生物の体から液体を吸収して保持するための製品に使用する吸収性コアであって、吸収性コアは、第１のセクション及び第２のセクションを有し、第１のセクションは、液体がそこを通って移動できるように構成された多孔質材料の少なくとも１つの層から形成されており、第１のセクションの前記少なくとも１つの層はキルティングされているとともに、その中に低速で作用するが吸収能力の高いＳＡＰを含み、キルティングされた第１のセクションは、第１のセクションのＳＡＰをコアに対して移動し難くしており、第２のセクションは、液体がそこを通って移動できるように構成された多孔質材料の少なくとも１つの層から形成されており、第２のセクションの前記少なくとも１つの層はキルティングされているとともに、その中に高速で作用するが吸収能力の低いＳＡＰを含み、キルティングされた第２のセクションは、第２のセクションのＳＡＰをコアに対して移動し難くしており、コアの第１のセクション及びコアの第２のセクションは、互いに流体を通すように連通しており、コアは、生物に用いられるための構成として、コアの第１のセクションが、生物に対して体に面する側を形成し、コアの第２のセクションが、生物から離れて配置される遠い方に面する側を形成しており、生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性コア。
【請求項２】
第１のセクションの前記少なくとも１つの層は、複数の第１のポケットを含み、第１のポケットの各々は、その中に低速で作用するが吸収能力の高いＳＡＰの一部を含み、第２のセクションは、前記第２の層の間に複数の第２ポケットを含み、第２のポケットの各々は、その中に高速で作用するが吸収能力の低いＳＡＰの一部を含む、請求項１に記載の吸収性コア。
【請求項３】
第１のセクションの前記少なくとも１つの層は不織布材料で形成されており、第２のセクションの前記少なくとも１つの層は不織布材料で形成されている、請求項２に記載の吸収性コア。
【請求項４】
前記第１のセクションは２つの層を含み、第１のセクションのそれらの層の各々は、低速で作用するが吸収能力の高いＳＡＰの一部を含む複数の第１のポケットを含む、請求項２に記載の吸収性コア。
【請求項５】
第１のポケットの各々は、低速で作用するが吸収能力の高いＳＡＰの一部で部分的に充填され、第２のポケットの各々は、高速で作用するが吸収能力の低いＳＡＰの一部で部分的に充填されている、請求項２に記載の吸収性コア。
【請求項６】
高速作用ＳＡＰのボルテックス時間は約１分以下であり、低速作用ＳＡＰのボルテックス時間は約１分以上である、請求項１に記載の吸収性コア。
【請求項７】
第１のセクションの前記少なくとも１つの層は親水性材料を含み、第１のセクションの前記少なくとも１つの層は親水性材料を含む、請求項２に記載の吸収性コア。
【請求項８】
前記親水性材料はスパンボンドポリプロピレンを含む、請求項７に記載の吸収性コア。
【請求項９】
第２のセクションの前記少なくとも１つの層は疎水性又はフィルム様材料を含む、請求項２に記載の吸収性コア。
【請求項１０】
前記ポケットの各々におけるＳＡＰの体積は、ポケットの体積の約２０パーセント未満である、請求項５に記載の吸収性コア。
【請求項１１】
前記ポリプロピレンは約１０〜２０グラム／平方メートルの範囲の坪量を有する、請求項８に記載の吸収性コア。
【請求項１２】
第１のポケットの各々における低速で作用するが吸収能力の高いＳＡＰの量は、第２のポケットの各々における高速で作用するが吸収能力の低いＳＡＰの量よりも少ない、請求項１０に記載の吸収性コア。
【請求項１３】
第１のポケットは複数の固定線によって形成され、第２のポケットは複数の固定線によって形成されている、請求項２に記載の吸収性コア。
【請求項１４】
第１のセクションの固定線は交差しており、超音波接着又は熱接着又は接着剤による結合によって形成され、第２の固定線は交差しており、超音波接着又は熱接着又は接着剤による結合によって形成されている、請求項１３に記載の吸収性コア。
【請求項１５】
第１のポケットは第２のポケットに対してずらされている、請求項２に記載の吸収性コア。
【請求項１６】
低速で作用するが吸収能力の高いＳＡＰのポケットサイズに対する比は、約０．４ｇｍ／２．２５平方センチメートル／第１のポケットを超えず、高速で作用するが吸収能力の低いＳＡＰのポケットサイズに対する比は、約０．４ｇｍ／２．２５平方センチメートル／第１のポケットを超えない、請求項１０に記載の吸収性コア。
【請求項１７】
第１のセクションの前記少なくとも１つの層は穴の開いたフィルム材料で形成され、第２のセクションの前記少なくとも１つの層は穴の開いたフィルム材料で形成されている、請求項２に記載の吸収性コア。
【請求項１８】
第２のセクションから第２のセクションへの流体移動を促進するためのウィッキング層をさらに含む、請求項１に記載の吸収性コア。
【請求項１９】
ウィッキング層はエアレイド材料を含む、請求項１８に記載の吸収性コア。
【請求項２０】
第１のセクションの上に配置された流体捕捉層をさらに含み、流体捕捉層は、吸収性コアが生物によって使用される時、第１のセクションと生物との間に配置される、請求項１に記載の吸収性コア。
【請求項２１】
第１のセクションの上に配置された流体捕捉層をさらに含み、流体捕捉層は、吸収性コアが生物によって使用される時、第１のセクションと生物との間に配置される、請求項１８に記載の吸収性コア。
【請求項２２】
第１のセクションは第２のセクションから視覚的に区別可能である、請求項１に記載の吸収性コア。
【請求項２３】
視覚的な区別可能性は、ＳＡＰの色、各セクションの色、各セクションにおける表示、ポケットの形状、及びポケットの大きさのうちの少なくとも１つによって提供される、請求項２２に記載の吸収性コア。
【請求項２４】
請求項１に記載の吸収性コアを含む吸収性衣服。
【請求項２５】
前記衣服はバリアフィルム層を含み、前記コアはバリアフィルム層の上に配置され、前記コアは、前記吸収性衣服が生物によって着用される時、生物とバリアフィルム層との間に配置される、請求項２４に記載の吸収性衣服。
【請求項２６】
請求項１に記載の吸収性コアを含む、ベッド又は他の家具用のカバー。
【請求項２７】
前記カバーはバリアフィルム層を含み、前記コアはバリアフィルム層の上に配置され、前記コアは、前記カバーがベッド又は他の家具の上に配置される時、生物とバリアフィルム層との間に配置される、請求項２６に記載の吸収性衣服。
【請求項２８】
請求項１に記載の吸収性コアを含む創傷被覆材。
【請求項２９】
請求項１に記載の吸収性コアを含む棺用ライナー。
【請求項３０】
前記棺用ライナーはバリアフィルム層を含み、前記コアはバリアフィルム層の上に配置され、前記棺用ライナーが棺の中に配置され、生物が前記棺用ライナーの上に置かれる時、前記コアは生物とバリアフィルム層との間に配置される、請求項２９に記載の棺用ライナー。
【請求項３１】
液体化学物質の漏れを吸収して保持するための吸収性部材であって、前記吸収性コアは、第１のセクション及び第２のセクションを有し、第１のセクションは、液体がそこを通って移動できるように構成された多孔質材料の少なくとも１つの層から形成されており、第１のセクションの前記少なくとも１つの層はキルティングされているとともに、その中に低速で作用するが吸収能力の高いＳＡＰを含み、キルティングされた第１のセクションは、第１のセクションのＳＡＰをコアに対して移動し難くしており、第２のセクションは、液体がそこを通って移動できるように構成された多孔質材料の少なくとも１つの層から形成されており、第２のセクションの前記少なくとも１つの層はキルティングされているとともに、その中に高速で作用するが吸収能力の低いＳＡＰを含み、キルティングされた第２のセクションは、第２のセクションのＳＡＰをコアに対して移動し難くしており、コアの第１のセクション及びコアの第２のセクションは、互いに流体を通すように連通しており、コアは、第１のセクションが液体化学物質と交わると、その液体化学物質は第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性部材。
【請求項３２】
第１のセクションの前記少なくとも１つの層は、複数の第１のポケットを含み、第１のポケットの各々は、その中に低速で作用するが吸収能力の高いＳＡＰの一部を含み、第２のセクションは、前記第２の層の間に複数の第２ポケットを含み、第２のポケットの各々は、その中に高速で作用するが吸収能力の低いＳＡＰの一部を含む、請求項３１に記載の吸収性部材。
【請求項３３】
生物に使用され、生物から液体を吸収して保持するように構成された製品に使用するための吸収性構造であって、前記吸収性本体は第１のセクション及び第２のセクションを含み、第１のセクションは第２のセクションの上に配置されるとともに、生物に対して面するように構成され、第１のセクションは、接触した液体をゆっくりと吸収するように構成され、第２のセクションは生物から離れて配置され、第１のセクションは生物からの滲出液が第２のセクションまで迅速に通過可能であるように構成され、第２のセクションは高速で作用するが吸収能力の低いＳＡＰをその中に含み、高速で作用するが吸収能力の低いＳＡＰは、住友Ａｑｕａｋｅｅｐ（登録商標）ＢＡ４０Ｂ及びＡｑｕａｋｅｅｐ（登録商標）１０ＳＨ−ＰＢの少なくとも１つを含み、生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で第１のセクションは、高速作用ＳＡＰから液体を脱着させるか取り除くとともに、その液体を吸収する、吸収性構造。
【請求項３４】
生物に使用され、生物の体から液体を吸収して保持するように構成された製品に使用するための吸収性コアであって、前記吸収性コアは第１のセクション及び第２のセクションを有し、第１のセクションは、液体がそこを通って移動できるように構成された多孔質材料で形成されており、第１のセクションはキルティングされているとともに、複数の中空のポケットを含み、第１のセクションの各ポケットは、低速で作用するが吸収能力の高いＳＡＰの一部で部分的に充填され、キルティングされた第１のセクションは、第１のセクションのＳＡＰをコアに対して移動し難くしており、第２のセクションはキルティングされているとともに、複数の中空のポケットを含み、第２のセクションの各ポケットは、高速で作用するが吸収能力の低いＳＡＰの一部で部分的に充填され、キルティングされた第２のセクションは、第２のセクションのＳＡＰをコアに対して移動し難くしており、コアの第１のセクション及びコアの第２のセクションは、互いに流体を通すように連通しており、コアは、生物に用いられるための構成として、コアの第１のセクションが、生物に対して体に面する側を形成し、コアの第２のセクションが、生物から離れて配置される遠い方に面する側を形成しており、生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性コア。
【請求項３５】
前記ポケットの各々におけるＳＡＰはポケット内で自由に動くことができる、請求項３４に記載の吸収性コア。
【請求項３６】
第１のセクションの前記少なくとも１つの層は不織布材料で形成されており、第２のセクションの前記少なくとも１つの層は不織布材料で形成されている、請求項３４に記載の吸収性コア。
【請求項３７】
前記第１のセクションは２つの層を含み、第１のセクションのそれらの層の各々は、低速で作用するが吸収能力の高いＳＡＰの一部を含む複数の第１のポケットを含む、請求項３４に記載の吸収性コア。
【請求項３８】
第１のセクションの前記少なくとも１つの層は不織布材料で形成されており、第２のセクションの前記少なくとも１つの層は不織布材料で形成されている、請求項３４に記載の吸収性コア。
【請求項３９】
前記第１のセクションは２つの層を含み、第１のセクションのそれらの層の各々は、低速で作用するが吸収能力の高いＳＡＰの一部を含む複数の第１のポケットを含む、請求項３５に記載の吸収性コア。
【請求項４０】
第１のセクションの前記少なくとも１つの層は不織布材料で形成されており、第２のセクションの前記少なくとも１つの層は不織布材料で形成されている、請求項３６に記載の吸収性コア。
【請求項４１】
前記第１のセクションは２つの層を含み、第１のセクションのそれらの層の各々は、低速で作用するが吸収能力の高いＳＡＰの一部を含む複数の第１のポケットを含む、請求項３６に記載の吸収性コア。
【発明の詳細な説明】
【技術分野】
【０００１】
本発明は、概して吸収性製品のための吸収性コア及びそれを含む吸収性製品に関する。
【背景技術】
【０００２】
今日の市場に存在する現在の成人用使い捨て吸収製品、例えば成人用ブリーフは、吸収性コアとして、繊維化漂白木材フラッフパルプ及びＳＡＰ（超吸収性ポリマー（Ｓｕｐｅｒ  Ａｂｓｏｒｂｅｎｔ  Ｐｏｌｙｍｅｒ））混合物として知られているものを利用している。パルプに対するＳＡＰの比が３０％以下の低さであれば、ＳＡＰが崩壊したりコアから剥がれ落ちたりするのを防ぐためにコア混合物を吸収性組織内に巻き込んでもよいが、巻き込まなくてもよい。ＳＡＰが５０％以上の高いレベルでは、剥がれたＳＡＰが振り落とされるのを防ぐために、コアを巻き込む必要がある。重いＳＡＰ粒子がフラッフパルプ繊維から分離するのを防ぐために、コア接着剤を添加してもよい。これは、乳幼児用の使い捨て吸収性製品にも採用されている、今日の最も進んだ技術である。これらの製品中のパルプ繊維は、次の滲出液に対してフラッフ繊維を準備するようにＳＡＰがフラッフ繊維を脱着可能であるまで、体液排出物を迅速に管理することが要求される。乳幼児の場合、その体は尿を最大１５０ｍｌ（グラム）生産し、それを約７０秒間にわたって吸収性コアに送達し得る。この送達速度は開始時から急速であり、最初の５秒経過後ほどで約１０〜１５ｍｌ／秒に達し、その後ゼロまで下降する。成人の場合、滲出液の量は遥かに多く、７０秒以上の期間にわたって３００ｍｌ以上を容易に超え、乳幼児が排泄するのと同等又はそれ以下の速度で送達される。
【０００３】
木材フラッフパルプを含むか、あるいは組織又はエアレイドに包まれた現在の吸収性製品の重大な問題は、いずれも、排泄液を受け取ると、体に対し濡れていると感じさせるコアをもたらす構造である点である。この濡れ感は、綿のＴシャツを着て、それが濡れたため乾いたシャツに替えるべきところを、その濡れた綿のＴシャツを長時間着用し続ける感覚に似ている。この濡れ感に対処するために、現在のほとんどの吸収性製品の設計では、「乾き感」層を作り出す試みとして、「湿潤コア」の上に合成繊維の離隔層を採用している。この合成離隔層は、しばしば「流体移送層」、「流体捕捉層」又は「捕捉分配層（ａｃｑｕｉｓｉｔｉｏｎ  ｄｉｓｔｒｉｂｕｔｉｏｎ  ｌａｙｅｒ：ＡＤＬ）」と呼ばれ、典型的にはそれが覆うコアよりもずっと小さく、コアの縁を露出させたままにする。さらに、その設計目標にもかかわらず、そのような流体捕捉層は、限られた程度でしか機能しない。これに関して、約３７℃（華氏９８度）で体を離れた滲出液は、吸収性製品のコアに入るにつれて急速に約３２℃（華氏約９０度）に低下する。これは、皮膚に触れたときに冷却効果を生じさせ、この効果は着用時間にわたり増大し得る。長時間放置すると、湿った製品は熱平衡に達し、周囲温度及び着用している衣服に依存して、室温から約３２℃（華氏約９０度）の間のどこかで平衡になる。この差は、滲出液を吸収するように選択された材料の熱伝導率に依存してさらに悪化する可能性がある。しかしいずれの場合も、現在の木材パルプフラッフ吸収製品は、製品が長く着用されるほど、皮膚に濡れ感及び／又は冷感を与える。
【０００４】
合成吸収性コア用の現在の最先端の製品設計は、超吸収性粒子（ＳＡＰ）を層の間に挟んだ合成連続繊維基材に基づいている。例えば、シガレットフィルタ製造に使用されるトウと同様のポリプロピレントウ繊維が選択された。連続的な形態のこの材料を購入し、箱から外に引き出し、エアートランペット又は同様の装置などに送って、繊維トウ基材を拡張する。その後、ＳＡＰ粒子と混ぜ合わせ、繊維ＳＡＰ基材に接着剤を噴霧し、基材全体を巻き込んで、現在の最先端である「パルプレス」コア技術のものが得られる。この種のコアは、吸収速度が遅いという大きな制限がある。この速度は、選択されるＳＡＰと、ＳＡＰをトウ繊維基材に付着させるのに必要な接着剤の種類及び量に大きく依存する。例えば、ＳＡＰがコア内の所望の位置に確実に留まるのに十分な接着剤が提供される場合、その接着剤のＳＡＰ粒子を覆っている部分がＳＡＰの吸収膨張を制限し得る。使用される接着剤がより少なければ、より膨潤でき、ＳＡＰによって滲出液をより吸収できるようになるかもしれないが、ＳＡＰ粒子がコア内の配置位置から股領域の底部に脱落してしまう可能性があり、したがって、排尿を受けたとき、股領域においてより重くなるとともにより湿潤し、端部では吸収剤が少なくなる。
【０００５】
現在のパルプレスコア技術の別の例は、ＳＡＰをバックシートに、あるいはトップシート又は体に面するシートの内側に接着させることである。この結合プロセスは、ＳＡＰが滲出液を吸収するために完全に膨張して利用されることを制限し得る。
【０００６】
ＳＡＰがこのような物に結合される際には、流体が妨害されずに移動するためのスペースを提供するために、連続した列として適用され得る。あるいは、ＳＡＰは、この非効率的な設計における流体の動きを向上させるため、同様のサイズの砕木パルプ繊維と混合されてもよい。
【０００７】
現在のＳＡＰの制限により、速度が遅いという欠点を伴う高い吸収能力か、速度は速いが吸収能力は低いＳＡＰかを選択する必要がある。これらの現在のＳＡＰを混合すると、高速作用ＳＡＰは非常に急速に膨潤し、低速で作用するが吸収能力の高いＳＡＰを「ゲルブロック（ｇｅｌ−ｂｌｏｃｋ）」し得る。ゲルブロックが発生すると、高容量ＳＡＰによる高速低容量ＳＡＰの脱着を制限するか、防止することさえある。
【０００８】
過去には、単一のＳＡＰを有する酢酸セルロース繊維コアが、非ＳＡＰ型と同様に開発され、市販されてきた。現在のポリプロピレンフィラメントトウ技術は吸収性コアにも使用されている。これに関して、今日市場で使用されているこのようなポリプロピレントウコアは、円型又は楕円型のホモポリマーポリプロピレン繊維を使用しており、これはＳＡＰ／トウ繊維基材を通る流体流に対する抵抗を最小限にし、それによって、ＳＡＰに吸収される流体の滞留時間を最小限にしているのみである。
【０００９】
このような先行技術の木材フラッフパルプを含有する吸収性製品は、概ねそれらの意図された目的に適しているが、まだ多くのことが望まれている。特に、木材フラッフパルプを含有する今日の使い捨て吸収性製品の厚さ、及びパルプ繊維化技術における技術水準は、現在の綿の下着よりもかなり厚い吸収性製品をもたらす。その結果、身体に通常の服や各自の通常のサイズの日常着を着用することができないような厚い製品となる。さらに、そのような製品の厚さが増すことにより、保管、輸送及び取扱いのコストが増加し、小売店の陳列スペースが増加する。
【００１０】
本発明者らの以前の特許出願では、木材フラッフパルプを含有する吸収性製品の多くの欠点を克服する使い捨て吸収性衣類が開示され特許請求されている。特に、その特許出願は、合成トウ又は合成不織布層で形成されたコアを含み、低速で作用するが吸収能力の高いＳＡＰを含む第１のセクションと、高速で作用するが吸収能力の低い第２のセクションとを有し、これらの全てが、ＳＡＰを定位置に保持するためにラッパーに包まれている例示的な吸収性アセンブリを開示している。吸収性アセンブリは、キルティングされ、波形にされてもよい。また、下着には、容易に取り外すことができるように、解放可能に固定できる留め具と、多量の滲出液を保持しても衣服が適切にフィットし、漏れないようにするための懸架システムも含まれる。臭い除去／マスキング及び治療の要素が提供されてもよい。それに加えて、下着には湿潤インジケータが含まれていてもよい。
【００１１】
本発明は、本発明者らの以前の特許出願の吸収性コアを超える改良を構成する吸収性コアアセンブリを対象とする。したがって、本発明の吸収性コアアセンブリは、その特許出願の吸収性衣類に使用されてもよいし、他のタイプの吸収性衣類や、液体を漏らすことなく迅速かつ効率的に吸収するように設計された他の吸収性製品に使用されてもよい。
【発明の概要】
【００１２】
本発明の一態様によれば、生物に用い、生物の体から液体を吸収して保持するための製品に使用する吸収性コアが提供される。吸収性コアは、第１のセクション及び第２のセクションを有する。第１のセクションは、液体がそこを通って移動できるように構成された多孔質材料の少なくとも１つの層から形成される。第１のセクションの少なくとも１つの層はキルティングされているとともに、その中に低速で作用するが吸収能力の高いＳＡＰを含み、キルティングされた第１のセクションは、第１のセクションのＳＡＰをコアに対して移動し難くする。第２のセクションは、液体がそこを通って移動できるように構成された多孔質材料の少なくとも１つの層から形成される。第２のセクションの少なくとも１つの層はキルティングされているとともに、その中に高速で作用するが吸収能力の低いＳＡＰを含み、キルティングされた第２のセクションは、第２のセクションのＳＡＰをコアに対して移動し難くする。コアの第１のセクション及びコアの第２のセクションは、互いに流体を通すように連通している。コアは、生物に用いられるための構成として、コアの第１のセクションが生物に対して体に面する側を形成し、コアの第２のセクションが生物から離れて配置される遠い方に面する側を形成する。生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する。
【００１３】
本発明の１つの好ましい態様によれば、第１のセクションの少なくとも１つの層は、複数の第１のポケットを含む。第１のポケットの各々は、その中に低速で作用するが吸収能力の高いＳＡＰの一部を含む。第２のセクションは、複数の第２ポケットを含む。第２のポケットの各々は、その中に高速で作用するが吸収能力の低いＳＡＰの一部を含む。
【００１４】
本発明の別の好ましい態様によれば、第１のポケットの各々は、低速で作用するが吸収能力の高いＳＡＰの一部で部分的に充填され、第２のポケットの各々は、高速で作用するが吸収能力の低いＳＡＰの一部で部分的に充填される。
【００１５】
本発明の別の態様によれば、コアは、第２のセクションから第２のセクションへの流体移動を促進するための任意のウィッキング層を含む。
本発明の別の態様によれば、コアは、第１のセクションの上に配置された任意の流体捕捉層を含み、流体捕捉層は、吸収性コアが生物によって使用される時、第１のセクションと生物との間に配置される。
【００１６】
本発明の別の態様によれば、生物用の吸収性衣類が提供され、前記衣類は本発明の上記第１の態様に従って構成されたコアを含む。
本発明の別の態様によれば、生物用のベッド又は他の家具のためのカバーが提供され、前記カバーは本発明の上記第１の態様に従って構成されたコアを含む。
【００１７】
本発明の別の態様によれば、生物用の創傷被覆材が提供され、前記創傷被覆材は、本発明の上記第１の態様に従って構築されたコアを含む。
本発明の別の態様によれば、生物用の棺用ライナーが提供され、前記棺用ライナーは、本発明の上記第１の態様に従って構成されたコアを含む。
【００１８】
本発明の別の態様によれば、液体化学物質の漏れを吸収して保持するための吸収性構造が提供される。前記吸収性構造は、本発明の上記第１の態様に従って構成された吸収性コアと同様に構成されている。
【図面の簡単な説明】
【００１９】
【図１】本発明に従って構成された吸収性コアアセンブリの１つの例示的な実施形態の断面図である。
【図２】図１のコアアセンブリを使用した吸収性衣類、例えば使い捨ての下着又はおむつの股部分の縮小断面図である。
【図３】図１のコアアセンブリの縮小平面図である。
【図４】図１のコアアセンブリの層の１つの縮小平面図である。
【図５】図１のコアアセンブリの層の別の１つの縮小平面図である。
【図６】図１のコアアセンブリの層のさらに別の１つの縮小平面図である。
【図７】図４の７−７線に沿った拡大断面図である。
【図８】図６の８−８線に沿った拡大断面図である。
【図９】本発明に従って構成された吸収性コアアセンブリの、別のより好ましい実施形態の拡大断面図である。
【図１０】図９のコアアセンブリを使用した、吸収性衣類、例えば使い捨ての下着又はおむつの股部分の縮小断面図である。
【発明を実施するための形態】
【００２０】
ここで、図面の様々な図（同様の参照符号は同様の部分を示す）を参照すると、本発明に従って構成された吸収性コアアセンブリ２０の１つの例示的な実施形態が図１に示されている。コアアセンブリ２０は、生きている又は死んでいる人間又は動物などの生物の身体から何らかの形で出された液体を吸収するように設計されている。液体は、滲出液、尿、血液、又は液体を構成成分として含む任意の他の流体であり得る。本発明のコアアセンブリは、衣服の構成要素、例えば保護用使い捨て下着、又は膀胱制御パッド、生理用ナプキン、使い捨ておむつ等の構成要素として使用するのに特に有用である。さらに、それはベッド上又は他の家具の上で使用するための保護パッドの一部として使用することができ、又は棺のライナーの一部として使用することができる。また、創傷被覆材として使用することもできる。実際には、本発明のコアアセンブリ２０は、生物から液体を吸収するために使用する必要はなく、他の液体吸収目的に使用することができる。例えば、本発明に従って構成されたコアアセンブリは、水性化学物質又は他の液体の漏れを吸収するのに使用することができる。
【００２１】
ここで、図１及び図３に示すように、吸収性コアアセンブリ２０は、基本的に、任意の適切な周辺形状のほぼ平面の本体を備える。この例示的な事例では、コアアセンブリ２０は、長手方向軸２２及び横方向軸２４を有する細長い矩形である。コアアセンブリ２０は少なくとも２つの層（後述する）で構成されており、それらの層は、その長手方向に延びる側縁部２６及び横方向に延びる端縁部２８に沿って、例えば、超音波接合、熱接合、接着剤による接合等の任意の適切な接合技術によって互いにしっかりと固定されている。
【００２２】
コアアセンブリ２０の第１の層すなわち最上層３０は捕捉層を構成し、生物に対面して配置されるように構成されている。この層は好ましいが、用途によって使用できる場合もあれば、省略できる場合もある任意選択のものである。使用される場合、捕捉層３０は吸収されるべき液体をその領域にわたって直線的に移動させ、コアアセンブリにわたってそれを広げる働きをする。本発明の１つの例示的な実施形態によれば、層３０は、例えばＳｈａｌａｇ  ＵＳ，Ｉｎｃ．によって販売されているＳｈａｌａｇ  ＳＴＡＰＰＥＬ４０  ＡＤＬ、ＳＴＡ１ＰＢＬ４０又はＳＴＡ２ＰＢＬ３８ｍ等のエアレイド材料、あるいはＷＰＴ  Ｃｏｒｐｏｒａｔｉｏｎ又は同様のＡＤＬ不織布材料の他の供給業者によって製造された同様の材料である。そのような材料は、４０ｇｓｍの１００％ポリエステルホワイトであるとベンダーによって識別される。業界で使用されているポリプロピレン、ポリエチレン二成分繊維などを組み込んだ他の同様のエアレイド捕捉層材料を、理想的には４０グラム／平方メートル（ｇｓｍ）＋／−１０ｇｓｍの坪量で使用することができるが、２０ｇｓｍの低さで、又は１００ｇｓｍに至るまでが稀に使用される。もう１つの選択肢は、商標ＡｑｕｉＤｒｙ  Ｐｌｕｓ  １２０でＴｒｅｄｅｇａｒ  Ｆｉｌｍ  Ｐｒｏｄｕｃｔｓから入手可能なもののような３Ｄフィルムを使用することである。
【００２３】
以降、コアの「第１のセクション」と呼ばれることがある第２の層３２は、図１及び４に最もよく示されている。従って、示されているように、これは細長い矩形形状であり、好ましくは、第１の層３０と同じ広がりを持つ大きさ及び形状である。層３０と同様に、第１のセクション又は層３２も、液体を直線的に移動させるために設けられる。しかし、第１の層３０とは異なり、第１のセクション又は層３２は必要な層である。図７に最もよく見られるように、これは２つのシート又はウェブ３２Ａ及び３２Ｂの間に封入された高容量であるが低速で吸収するＳＡＰ粒子３８を用いて構成される。本発明の１つの例示的な実施形態によれば、このシート又はウェブは、不織布の液体透過性材料、例えば１５＋／−５グラム／平方メートルの坪量の親水性スパンボンド不織布ポリプロピレン等で形成される。特に適した不織布の１つはＰＧＩ  Ｎｏｎｗｏｖｅｎｓからコード番号Ｂ０３０５の白色ＳＢＰＰ親水性ポリプロピレンスパンボンドとして入手可能である。少なくとも上部の体側の層３２Ａは親水性であり、最下層３２Ｂは製造の容易にするため同様のものであってもよい。代替的に、それは疎水性であってもよいし、孔を有するフィルムであってもよい。最上層３０と同様に、層３２もまた、細長い矩形形状であり、好ましくは、上層３０と同じ広がりを持つ大きさ及び形状である。
【００２４】
コアアセンブリ２０の第１のセクション又は層３２の形成は、交差シール線４０によってウェブ又はシート３２Ａ及び３２Ｂを互いにしっかりと固定することによって達成され、その結果、複数の区画又はポケット４２を有するキルティングされたサブアセンブリが、交差シール線の間に配置される。第１のセクション３２のキルティングされた性質は、そのセクションのＳＡＰ３８粒子をコアアセンブリに対して移動し難くし、そのため、移動を防止するために接着剤でＳＡＰ粒子を結合する必要性を排除する。シール線４０は、任意の適切な技術、例えば、超音波溶着、熱溶着、接着剤による固定等によって作製することができる。
【００２５】
第１のセクション３２の１つの例示的な実施形態は、交差線４０の菱形のパターンを構成し、各ポケット４２は、正方形の形状であり、約１．５ｃｍ×１．５ｃｍである。交差する各シール線４０の幅は約１ｍｍである。
【００２６】
第１のセクションの各ポケット４０は、遊離した、高容量であるが低速吸収性のＳＡＰを含み、各ポケットはその容量の半分未満、好ましくは約３分の１から４分の１まで（又はそれよりも僅かに少なく）充填されている。本発明の１つの例示的な実施形態によれば、大容量であるが低速吸収性のＳＡＰ３８は、住友精化株式会社から入手可能なＡｑｕａ  Ｋｅｅｐ（登録商標）タイプＳＡ６０Ｓ、ＳＡ６０ＳＸ１１又はＡｑｕａ  Ｋｅｅｐ（登録商標）タイプＳＡ５５ＳＸ１１、あるいはＢＡＳＦ  Ｃｏｒｐｏｒａｔｉｏｎから入手可能なＢＡＳＦ  Ｔ−９４００、ＢＡＳＦ  Ｔ−９６００又はＢＡＳＦ  Ｔ−９９００、あるいは他の任意の適切なＳＡＰであり得る。好ましくは、ＳＡＰ３８は、少なくとも約４０〜６０秒以上のボルテックス時間を有するべきである。当技術分野で知られているように、用語「ボルテックス時間」は、回転しているスターラーによって容器内で水と混合されたＳＡＰが、ゲルを形成して回転しているスターラーを停止させるのに要する時間の長さを表す。
【００２７】
各ポケット４０は、約０．０７〜０．０８グラムのＳＡＰ、又は１平方メートル当たり約１００グラムのＳＡＰを封入する。高容量であるが低速吸収性のＳＡＰ３８を有するポケットの部分的な充填は、吸収されるべき液体、例えば尿と接触したときのＳＡＰの膨張及び膨潤を可能にするように働く。ポケット４０に、ポケット当たり０．３２グラムを超えるような著しく多くのＳＡＰ３８が充填された場合、ＳＡＰ３８は膨潤する能力が制限され、したがって追加の流体を吸収することができなくなる。場合によっては、僅かに減少した容量で最大限活用するために、０．０４グラム又は０．０２グラムを使用したポケットをアンダーフィル（ｕｎｄｅｒｆｉｌｌ）することが適切であり得る。上記のものとは異なるサイズのポケットが企図されることを指摘しておく。例えば、より大きなポケットを使用することにより、ポケット４０当たりのＳＡＰ３８の量を増加させることができる。いずれの場合も、ポケットサイズに対するＳＡＰ３８の比は、約０．４グラム／４平方センチメートル／ポケットを超えるべきではならない。より大きなポケットが企図される場合、単位面積当たりの同じ重量比が適用されるべきである。
【００２８】
コアアセンブリ２０の第３の層３４も任意であるが、望ましく、図１及び５に最もよく示されている。この層は、ウィッキング等によって液体を移送するのを助ける働きをする。特に、層３４は、液体が直線的にウィッキングされるのを助け、それによって、吸収されるべき液体、例えば尿を、液体が最初に傷つけられる（ｉｎｓｕｌｔｅｄ）コアの中央領域から、その液体が十分に到達しない可能性のあるコアの端へ移動するのを助けるように、及び、その液体にそこを通過させ第４の又は最下層に進入させるように構成される。例示的な実施形態では、ウィッキング層は、約５０〜２００ｇｓｍの範囲の吸収性組織や綿等を含む流体濡れ性親水性層である。ウィッキング層３４に特に適した材料の１つは、Ｎｏｖａ  Ｔｈｉｎ（登録商標）の商標でＤｏｍｔａｒ／ＥＡＭ  Ｃｏｒｐｏｒａｔｉｏｎから入手可能であり、１００ｇｍの坪量の白色繊維質ウェブ（Ｗｈｉｔｅ  Ｆｉｂｒｏｕｓ  Ｗｅｂ）として説明されている。層３４は、ウィッキングをさらに助けるために使用されるコーデュロイ又は波形のエンボスパターンを有する。波型又はコーデュロイパターンは、超音波溶着、熱溶着、接着剤による固定などの任意の適切な技術によって作られた、近接配置された複数の平行なシール線４４によって形成される。ウィッキング層も細長い長方形であるが、好ましくは層３０及び３２よりも小さいサイズであり、接着されていない（後述する理由のため）。さらに、ウィッキング層３４は、所望のウィッキング特性を提供するために、複数の層の形態であってもよい。ウィッキング層は、流体の通過をさらに促進するために、１ｍｍ以上の大きさの目に見える穴を有していてもよい。
【００２９】
第４又は最下層３６も必要な層であり、以下では時には３６と呼ばれ、好ましくは第１のセクション３２と同じ大きさ及び形状である。第２のセクション３６は、生物から離れて配置されるように構成され、第１のセクション３２と幾分類似するように構築されている。この目的のために、第２のセクションは、不織布の液体透過性材料、例えば第１のセクション３２で使用されているような１５＋／−５ｇｓｍの坪量のポリプロピレンである２つのシート又はウェブ３６Ａ及び３６Ｂの間に封入された、高速で作用するが吸収能力の低いＳＡＰ粒子４６の形態にある。第１のセクションのウェブ又はシートと同様に、第２のセクションのウェブ又はシート３６Ａ及び３６Ｂは、交差シール線４８によって互いにしっかりと固定されて、交差シール線の間に位置する複数の区画又はポケット５０を有するキルティングされたサブアセンブリを形成する。シール線は、任意の適切な技術、例えば、超音波溶着、熱溶着、接着剤による固定などによって形成される。各ポケット５０は、高速で作用するが吸収能力の低いＳＡＰ４６の一部を含み、各ポケットはその容量の半分未満、好ましくは約３分の１から約４分の１まで（又はそれよりも僅かに少なく）充填されている。本発明の１つの例示的な実施形態によれば、高速で作用するが吸収能力の低いＳＡＰ４６は、住友精化株式会社から入手可能なＡｑｕａ  Ｋｅｅｐ（登録商標）タイプＳＡ１０又はＡｑｕａ  Ｋｅｅｐ（登録商標）タイプＢＡ４０Ｂ等であり得る。それらの製品は、例えば約４〜１０秒の非常に速いボルテックス時間を有する。第２のセクションのＳＡＰ４６は、１０秒未満のボルテックス時間を有することが好ましいが、用途に応じて、より長い時間が適切な場合もある。いずれにせよ、第１のセクションと同様に、第２のセクションのキルティングは、第２のセクションのＳＡＰ４６をコアアセンブリに対して移動させ難くするので、超吸収性粒子に結合させて動き又は移動を防止するための接着剤は必要とされない。
【００３０】
第２のセクション３６のシート又はウェブ３６Ａ及び３６Ｂは、第１のセクションのようにポケットを形成する菱形のパターンで超音波接合され、各ポケット５０は約１．５ｃｍ×１．５ｃｍ四方であり、交差シール線の幅は約１ｍｍ幅である。熱に関する他の技術を用いてもよい。各ポケット５０は、約０．０２〜０．０８ｇｍのＳＡＰ４６、又は１平方メートル当たり約１００ｇｓｍを封入する。この構造では、超吸収性粒子に結合させて動き又は移動を防止するための接着剤は必要ではなく、望ましい訳でもない。
【００３１】
ポケット５０は、液体と接触したときに超吸収性ポリマーの膨張及び膨潤を可能にするため、部分的にのみ充填される。著しく多くの、例えばポケット当たり０．３２ｇｍを超える超吸収性のポリマー粒子４６でポケットが充填された場合、ＳＡＰ粒子は膨潤能力が制限され、したがって追加の流体を吸収できないであろう。しかしながら、ポケット当たりのＳＡＰの量を増加させるために、より大きなポケットを使用するなど他のサイズのポケットが考えられる。いずれの場合も、ポケットサイズに対するＳＡＰ４６の比は、約０．４ｇｍ／２．２５平方ｃｍ／ポケットを超えるべきではない。より大きなポケットが企図される場合、単位面積当たりの同じ重量比が適用されるべきである。
【００３２】
図１及び図３に最もよく示されるように、４つの層３０，３２，３４及び３６は、各シール線５２により、それらの周縁に沿って共にしっかりと固定されて複合アセンブリを形成している。シール線５２は、任意の適切な技術、例えば、超音波溶着、熱溶着、接着剤による固定などによって形成される。最も望ましい方法は、４層の複合コアの側部の各縁から約１ｃｍ離れたところを走る、例えば１ｃｍ当たり約４つの結合点又は結合線を有する鉄道線路状の、２ｍｍ幅の間欠的接着パターンで４つの層を一緒に超音波溶着することである。接着を助けるために、ウィッキング層２８は複合コア全体よりも狭い。例えば、複合コアが１００ｍｍ幅である場合、非熱接着性ウィッキング層は幅７５〜８０ｍｍ以下である。これは、３つの可融性層３０，３２及び３６を超音波接合し、非可融性層３４をそれらの間に封入するのを助けるために行われる。代替的な構成は、流体が構造体内を妨げられずに移動できるようにするため、接着剤を軽く吹き付けて、又はスロットコーティングで用いることである。
【００３３】
吸収性コアアセンブリ２０は、下に説明するように、層３２（コアの第１のセクション）が生物に対して体に面する側を構成し、層３６（コアの第２のセクション）が、生物から離れて配置される遠い方に面する側を構成するように、衣類に配置されるように構成される。生物の体から液体が排泄され、滲出し、又は他の態様で出されると、第１のセクションを通って第２のセクションの高速作用ＳＡＰまで流れ、この高速作用ＳＡＰによって素早く急速に吸収され、一方で低速作用ＳＡＰは、高速作用ＳＡＰから液体を脱着させるか取り除くとともに、その液体を吸収する。ウィッキング層３０は、下方の高速吸収層３６から上方の低速吸収層３２への流体移動を促進する働きをする。
【００３４】
複合吸収性コア全体を通る流体の移動を改善するために、エンボスポケット４２及び５０は互いに直接並んでいないことが好ましい。むしろ、それらはＸ方向（縦軸２２に平行）及び／又はＹ方向（横軸２４に平行）にずらされている。これにより、Ｘ／Ｙ方向だけでなく、Ｚ方向、すなわちコアアセンブリの平面に垂直な流体の移動が改善される。しかしながら、望ましい場合、例えば、コアの製造の容易性及び簡素化、資本コストの削減及びそれに付随する消費者の節約のために、エンボス加工されたポケットを、各層の下及び互いの下に直接並べることができる。
【００３５】
当業者には理解されるように、本発明に従って構成されたコアアセンブリ２０のキルティング構築物は、「区画漏れ出し現象（ｃｏｍｐａｒｔｍｅｎｔ  ｓｐｉｌｌ  ｏｖｅｒ  ｐｈｅｎｏｍｅｎａ）」と呼ばれるものを介して機能する。特に、コアの各セクションに運ばれるときに吸収される液体は、そのセクションの区画（ポケット）に含まれるＳＡＰを充填し、そこで区画及びその中のＳＡＰが膨潤する。その区画内のＳＡＰが完全に利用されると（例えば、最大まで膨潤すると）、液体は隣接する区画に「漏れ出す」。上述したように、第１のセクション３２及び第２のセクション３６の超音波成形されたＳＡＰ菱形区画４４及び５０はそれぞれ、個々の交差シール線４０及び４８の幅の結果として、それらの間に約１ｍｍのスペースを有する。これは、図１の断面図に示すように、これらのシール線に隣接するコアアセンブリの空隙５４に沿った液体の移動を助ける。当業者には理解されるように、ウィッキング層３４もまた、液体の移動を促進し、区画又はポケットの整列していない性質を有する。一般に捕捉層、移送層又は離隔層と呼ばれる最上の体側の層を追加することは、ＳＡＰを収容する１つの区画又はポケットから隣のものへ漏れ出す流体をアシストすることで、流体移送をさらに助ける。
【００３６】
現時点では、より高容量の吸収性コアが所望される場合には、第１のセクション及び／又は第２のセクションのような１つ又は複数の追加のＳＡＰ層を構築物に加えてもよいことを指摘しておく。さらに、望ましい場合、第２のウィッキング層をＳＡＰ吸収性層の間に追加することもできる。
【００３７】
ここで図９を参照すると、本発明に従って構成されたより好ましいコアアセンブリ１２０が示されている。コアアセンブリ１２０は、コアアセンブリ１２０の第１のセクションが、単一の層３２の代わりに２つの層で構成されていることを除いて、コア２０と同様の構成である。簡潔にするために、コアアセンブリ２０と共通するコアアセンブリ１２０の構成要素には同じ参照番号を付し、それらの構成、組み立て及び動作の詳細は繰り返さない。このように、コアアセンブリ１２０は、任意選択の最上層３０、２つの層３２から構成される第１のセクション１３２、ウィッキング層３４及び第２のセクション３６を含むことが分かる。第１のセクション１３２を構成する２つの層３２の各々は、コアアセンブリ２０の層３２と同様に構成されている。特に、各層３２は、図７に最もよく示されているように、２つのシート又はウェブ３２Ａ及び３２Ｂの間に封入された、高容量であるが低速吸収性のＳＡＰ粒子３８を用いて構成されている。各シート又はウェブは、不織布の液体透過性材料、例えばＰＧＩ  Ｎｏｎｗｏｖｅｎｓからコード番号Ｂ０３０５ホワイトＳＢＰＰ親水性ポリプロピレンスパンボンドとして入手可能な、１５＋／−５グラム／平方メートルの坪量の親水性スパンボンド不織布ポリプロピレン等で形成される。コアアセンブリ１２０の第１のセクション１３２の各層３２の形成は、交差シール線４０によってウェブ又はシート３２Ａ及び３２Ｂを互いにしっかりと固定することによって達成され、その結果、交差シール線の間に配置された複数の区画又はポケット４２を有するキルティングされたサブアセンブリ層がもたらされる。第１のセクション１３２の２つの層３２は、それらのポケット４２が長手方向又は横方向に整列しないように互いに重ね合わされる。
【００３８】
第１のセクションの２つの層を利用することにより、コアアセンブリ１２０は、コアアセンブリ２０の第１のセクションのポケット４２に使用されるよりも少ないＳＡＰを、第１のセクションのポケット４２のそれぞれで使用することができる。例えば、２つの層のポケット４２の各々におけるＳＡＰ３８の量は、ポケットの容量の３分の１から４分の１又はそれ未満の範囲にあってもよい。この構成は、ＳＡＰ３８をポケット４２内で拡張させるのに十分な余地を与えるため、第２のセクション３６からＳＡＰ４６を脱着するのに十分に利用することができる。経済的な理由から、第１のセクションのポケット４２に最小量のＳＡＰ４６を使用することが望ましいが、使用量は、所望の吸収速度及び容量を達成するために十分に利用できるものでなければならない。したがって、第１のセクション１３２の２つの層のそれぞれのＳＡＰ４２が上述した所望のポケット充満範囲内にあり、かつＳＡＰが第２のセクション３２から液体を完全に脱着させるには少なくとも６０秒のボルテックス時間を有することが好ましい。さらに、この構成は、ＳＡＰ性能を最大にし、第１のセクションの第２のＳＡＰ３８が、「ゲルブロッキング」に起因し得る第２のセクション３２への液体の流れを妨げる傾向を全く伴わずに、第１のセクションの２つの層のそれぞれを通ってコアアセンブリに導入された液体の第２のセクションへの効率的かつ効果的な移動を可能にする。知られているように、「ゲルブロッキング：は、液体と接触したセクションのＳＡＰ表面が初めて膨潤し、そのセクションにおいて下の階層にあるＳＡＰを、それらが最大容量まで完全に吸収するのを阻害するときに生じる。したがって、各ポケット４２内のＳＡＰをより少なくすることにより、しかし第１のセクション１３２の２層構造を介してより多くのポケットを使用することにより、ゲルブロッキングの発生はなくならないとしても最小限に抑えられる。このように、コアアセンブリに導入された液体は、第１のセクションを素早く通過して第２のセクションに吸い込まれ、第２のセクションのＳＡＰによって迅速に吸収され、その液体はそこから第１のセクションにゆっくりと吸収されることで第１のセクションに戻ることができる。これにより、第２のセクションが脱着され、その結果、全ての液体がコアアセンブリに閉じ込められ、コアの使用者を乾燥状態に保つ。
【００３９】
コア１２０の好ましい実施形態は、第１のセクション１３２内に２つの層を含むが、これは単なる例示である。したがって、このセクションに３つ以上の層を使用することが考えられ、それに応じてポケットのサイズ及び容量が調整される。しかし、第１のセクションに３つ以上の層を使用する場合は、追加のコスト、例えば、追加の層を封入する不織布材料のコストがかかることを認識すべきである。さらに、所望であれば、第２のセクション３６は、複数のキルティングされた層から構成されてもよい。さらに、本発明は、より安価な無機添加剤を使用してＳＡＰ性能を最大にすることもできると考えられる。本発明のコアの目的は、各セクションの全てのＳＡＰ粒子がその最大吸収能力を達成できるようにすることであるので、膨潤しない、又はゲルブロッキング現象に加わらない無機添加剤、例えば高多孔質ゼオライト、Ｕｐｓａｌｉｔｅ（登録商標）、ミクロスフェア又は他の無機材料などを、コアのＳＡＰと共に含めてもよい。そのような無機添加剤の使用に代わる別の方法、又はそのような添加剤の使用にさらに追加される方法は、Ｓｈａｌａｇ  ＵＳ  Ｉｎｃ．の４０ｇｍ  Ｓｈａｌａｇ  ＡＤＬやＷＰＴ  Ｃｏｒｐｏｒａｔｉｏｎなどから入手可能な同様の材料などの捕捉層を利用することであり、コアの第２のセクションの下に配置することができる。
【００４０】
本発明に従って構成された吸収性コア、例えば上述のもの又はその変更例は、現在の既存の吸収性製品に使用される吸収性コアの代わりに使用することができる。例えば、本発明に従って構成されたコアアセンブリは、成人用失禁製品（例えば、ブリーフ、パンティー、パッドなど）、乳幼児用吸収性衣類（例えば、おむつ）、生理用ナプキン、女性用ナプキン、パンティーライナー、又は生物に着用され、生物から液体を吸収するように構成された他の任意の製品に使用することができる。
【００４１】
図２には、コアアセンブリ２０を使用した例示的な製品、例えば成人用失禁ブリーフ１０の、股領域の断面図が示されている。ブリーフ１０は、トップシート１０Ａとボトムシート１０Ｂとを含む。トップシートは、この種の製品に典型的に使用されるような不織布材料であってもよい。ボトムシート１０Ｂは、バリア層を構成し、例えばポリエチレンやポリプロピレンのフィルムを構成し、この種の製品に典型的に使用されるものと同様に、液体をブリーフから全く漏れさせない。トップシート１０Ａとボトムシート１０Ｂとの間には、コアアセンブリ２０がそれぞれ配置されている。
【００４２】
図１０には、本発明のコアアセンブリ、この場合はコアアセンブリ１２０を使用した別の例示的な製品、例えば、やはり成人用失禁ブリーフ１２の、股領域の断面図が示されている。ブリーフ１２は、コアアセンブリ２０の代わりにコアアセンブリ１２０を使用することを除いて、ブリーフ１０と同様の構成である。簡潔にするために、ブリーフ１０と共通するブリーフ１２の構成要素には同じ参照番号を付し、それらの構成、組み立て及び動作の詳細は繰り返さない。このように、ブリーフ１２は、トップシート１０Ａ及びボトムシート１０Ｂを含むことが分かる。トップシートは不織布材料であってもよく、ボトムシート１０Ｂはこの種の製品に典型的に使用されるポリエチレンやポリプロピレンのバリアフィルムであってもよい。トップシート１０Ａとボトムシート１０Ｂとの間には、コアアセンブリ１２０がそれぞれ配置されている。
【００４３】
本発明の吸収性コアアセンブリのための他の代替構築物も考えられる。例えば、コア２０のウィッキング層３４は、図１１に示すように、そのコアの層３０，３２及び３６よりも狭くてもよい。同様に、コア１２０のウィッキング層３４は、図１２に示すように、コア１２０の層３０，１３２及び３６よりも狭くてもよい。これらの代替の実施形態では、ウィッキング層は、コアの他の層の幅の約半分である。ウィッキング層のこれらの別の構成は、依然として液体をコアの端部へウィッキングし、それによって液体を広げる能力を提供するが、ウィッキング層がコアのＳＡＰによる液体吸収を遅らせることはない。
【００４４】
コアアセンブリのためのさらに別の代替構築物もまた企図される。例えば、上記の成人用失禁ブリーフなどの改善された表面乾燥度を有する製品に最大吸収能力を作り出すために、エアレイドマット又はフラッフマットの上かつブリーフのトップシートの下に不織布層を含むキルティングされたＳＡＰの１つ又は複数の層を適用することができる。表面乾燥リザーバとして働くために、ＳＡＰはその下のパルプ含有マットよりもゆっくりと吸収する必要がある。この構成では、ＳＡＰ層はエアレイドマット又はフラッフマットよりも小さくてもよい。その衣服のパッドの吸収速度及び総容量を増加させるために、エアレイドマット又はフラッフマットの下かつポリエチレン又はポリプロピレンバリアフィルムの上に不織布層を含むキルティングされたＳＡＰの１つ又は複数の層。ＳＡＰは、液体封じ込め層として機能するために、その上にあるパルプ含有マットよりも速く、又は少なくとも同程度に速く吸収する必要がある。
【００４５】
上述したようなエアレイドマット又はフラッフマットの上かつトップシートの下に不織布層を含むキルティングされたＳＡＰを使用した衣類又は他の吸収性製品は、同様のサイズであってもよく、より小さくてもよく、上述したコアアセンブリのような長方形以外の形状を有してもよい。同様に、吸収性コアアセンブリが、上述したように、エアレイドマット又はフラッフマットの下かつポリエチレン又はポリプロピレンバリアフィルムの上に１つ又は複数のキルティングされたＳＡＰ層を使用してもよく、提供されてもよく、同様のサイズであっても、より小さくても、又は長方形以外の形状であってもよい。
【００４６】
上述したように、本発明は、ベッド又は他の家具を液体（例えば尿）から保護するために、ベッド又は他の家具に配置するためのパッド内での吸収性コアアセンブリの使用も企図しているか、又は棺に配置された死体の身体から出る液体から棺を保護するためのコットンライナーの形態であってもよい。このような用途のいずれにおいても、パッド／ライナーは、４つの層からなる単一の複合体の形態であってもよい。第１の層はパッドのトップシートを構成し、生物の体と接触するように構成され、通常は１５ｇｓｍ＋／−５ｇｓｍのポリプロピレンスパンボンドなどで構成することができる。あるいは、それはより高い坪量のものであってもよいし、合成スルーエアボンドカーディングウェブであってもよい。次の層は、単一の層又は複数の層であってもよく、パッド／ライナーの第１のセクションを形成する。第１のセクションは、キルティングされたポケット状に構成された１５＋／−５グラム／平方メートルのポリプロピレンなどの材料の２つの層の間に封入された、ＳＡＰ粒子の高容量であるが低速で吸収する層の形態である。ポケットは遊離ＳＡＰを含み、２０％未満、好ましくは約１％〜５％の範囲で充填されている。この層は、流体にそこを通過させる働きをする。第３の層はパッドの第２のセクションを構成し、必要な層である。これは単層でも複数層でもよい。いずれの場合も、それは、約１０秒以下のボルテックス時間を有する高速吸収ＳＡＰを含む。このＳＡＰの高速吸収層は、キルティングポケット型の１５±５グラム／平方メートルのポリプロピレン等の材料の２つの層の間に封入されている。ポケットは遊離ＳＡＰを含み、２０％未満、好ましくは約１％〜５％の範囲で充填されている。この層の構造は、流体を迅速に捕捉して生物の体から引き離すことを可能にする。続いて、この層の上にあるＳＡＰの層は、その高い容量によってこの層を脱着することができる。第４の層は、バリアフィルム又はフィルム積層体から構成されたバリア層であり、パッド／ライナーが配置された寝具又は他の家具への漏れを防止する働きをする。
【００４７】
パッド／ライナーの４つの層は、好ましくはパッド／ライナーの全周にわたり、超音波溶着、熱溶着、又は接着剤によって、連続的又は間欠的なパターンなどで封止される。また、それらの層又はその一部を接着剤で、又は超音波接着、熱接着などの公知の技術を用いて所々で互いに結合させてもよい。
【００４８】
上記の複合体を単一のパッド構造として使用する代わりに、これを現在のアンダーパッドに使用されるエアレイド又はパルプフラッフマットの代わりに用いてそのようなアンダーパッドを改造することもできる。その目的のために、本発明による複合構造体を提供することができる。その構造は、上述したような第２及び第３の層のみを含み、これらは現行の工程において、現在のエアレイド材料又はＳＡＰ／エアレイド材料、あるいはパルプマット又はパルプ／ＳＡＰマットに代わる挿入体として使用されるであろう。さらに、本発明で使用されるようなＳＡＰの単一のポケット層を、単独で、又は以下のようにエアレイドマット又はパルプ／ＳＡＰマットと組み合わせて使用することができる。容量を増やすために、現在の吸収性コアの上に単一の高容量ＳＡＰポケット層を追加してもよい。この構造はまた、乾燥度及び総容量の増加という利点を提供するであろう。現在の吸収性コアの下に単一の高速吸収性ＳＡＰポケット層を追加して、流体管理の速度を高めてもよい。このような構造もまた、吸収速度及び総容量を増加させるであろう。
【００４９】
前述のアンダーパッドは全て、ロール上のペーパータオルのようにより容易に使用可能な、ロール上の吸収性パッドの連続ロールとして容易に製造することができる。この目的のため、各アンダーパッドを、一連の弱いミシン目などを介して、対応する次のアンダーパッドに継ぎ足されるように製造することができる。
【００５０】
上記から理解されるように、上述した本発明のコアは、少なくとも２つのセクションを使用し、その各々は複数のポケットを含むキルティング構造である。さらに、各ポケットは中空であり、部分的にＳＡＰで充填されている。ＳＡＰは、粒子又は繊維の形態、あるいは遊離の又は固定されていないＳＡＰの他の任意の形態であってよい。ポケットは、ＳＡＰがコアを通って移動しないようにＳＡＰをその中に保持するように働く。しかし、いくつかの用途では、接着剤をポケットに使用してＳＡＰを適所に保持することも企図される。この代替の構成は、ポケットに加え、ＳＡＰがコアを通って移動するのを防止するための追加の手段を提供する。
【００５１】
現時点では、本発明に従って構成されたコアを使用した任意の吸収性製品、例えば、おむつ、成人用ブリーフ、失禁パッドなどは、生物の体から離れた底部に高速で作用するが吸収能力の低いＳＡＰ（「高速ＳＡＰ」）を有するセクションを有するべきであることを指摘しておく。その構成では、流体は、上部セクションの高容量であるが低速のＳＡＰ（「低速ＳＡＰ」）を通過し、高速ＳＡＰを有する底部セクションに移動する。仮に本発明のコアを吸収性製品の中に逆向きに、すなわち、高速ＳＡＰセクションを生物の体の方に向けて配置した場合、流体は高速ＳＡＰ中でゲルブロックされ、更なる流体が底部セクションに移動するのを妨げると考えられる。したがって、適切な作用のためには、コアが吸収性製品内に正しい向きで配置されるように注意する必要がある。
【００５２】
現在、高速ＳＡＰの物理的な外観は低速ＳＡＰに似ている。というのは、両者は視覚的に類似しており、例えば、白い卓上塩や砂糖に似ている。さらに、ＳＡＰを封入し、本発明のコアに利用される不織布は、典型的には外観が白色である。また、本発明のコアが衛生的な吸収性製品に使用される場合、その製品は典型的には白色であり、例えば消費者は典型的には「衛生的な」白色及び外観を吸収性製品に求める。
【００５３】
したがって、本発明に従って構成されたコアが吸収性製品に適切な向きで配置されることを確実にするために、本発明は、適切なコアの向きの視覚的表示を提供するための手段及び方法、ならびにコアを適切な向きにして吸収性製品を組み立てるのを助けるための手段及び方法を企図する。例えば、セクションのうちの一方、例えば生物の体とは反対に面している底部セクションのＳＡＰが、他方のセクション、例えば生物の体の方に面している上部セクションのＳＡＰとは異なる色であるようにコアを構成することができる。あるいは、ＳＡＰのうちの１つは、コアのどちらのセクションを生物の体の方に向けるべきで、どちらのセクションを生物の体とは反対に向けるべきかを判断すべくその色を十分に視認できる限り、色が異なる部分又は斑点を有してもよい。別の代替の構成は、コアの少なくとも１つの部分に着色された不織布を使用することを伴う。例えば、コアは、高速ＳＡＰを有するコアのセクション、すなわち生物の体とは反対に向けるべきセクションに着色された不織布を使用し、生物の体の方に向けるべき低速ＳＡＰを有するコアのセクションに白い不織布を使用してもよい。あるいは、選択された色が視覚的に容易に区別可能であるならば、コアの各セクションの不織布が着色されてもよい。「着色」という用語の使用は、不織布が顔料で染色されるか、又はカラー印刷されるか、又は２つのセクションの不織布が色によって視覚的に区別可能であることを確実にする任意の他の手段を備えることを意味することに留意すべきである。さらに、コアの一方のセクションの不織布は、それがコアの他方のセクションの不織布材料から視覚的に容易に区別されることを可能にする視覚的表示を含むことができる。その視覚的表示は、ランダムなパターン、又は「この面を下に」などの指示を有するテキスト、又はコアが適切な向きであることを確実にするための他の視覚的表示の形態であってもよい。さらに、視覚的表示は、販売及び／又は宣伝材料及び／又は使用のための説明書の形態であってもよい。高速ＳＡＰのコアセクションと低速ＳＡＰのコアセクションが適切な向きであることを確実にするためのもう１つの手段は、コアの上部セクションが底部セクションとは確実に異なる見かけとなるように、２つの異なるサイズのポケット又は他の形状のポケットを使用すること、又はポケットの質感を変えることを含み得る。さらに、どちらが生物の体の方に向けるべきコアのセクションで、どちらが生物の体とは反対に向けるべきセクションかを容易に判断できることを確実にするため、上記の特徴の組み合わせを用いてコアを構成することができる。
【００５４】
吸収性製品における適切な配向のために視覚的に容易に識別可能なコアのセクションを作成するためにどのような方法論が用いられるかに関わらず、そのような製品を製造する方法は、吸収性製品を作製する製造機械又は加工機械に標識又は他の警告を設置することを伴う。このような標識や警告は、そのような機器を使用する人が製造工程中にコアを正しい向きにするための補助を与えることができる。例えば、標識又は他の警告は、「ピンクの側を下に」又は「白の側を上に」と示したり、材料等に合致するように色分けされた矢印を含むことができる。この動作は、本発明に従って構成されたコアのロールが製造ラインに置かれると、それが適切な向きであり、得られる製品が正しい向きのコアを有することを確実にするように働き得る。
【００５５】
更なる詳述がなくとも、前述した内容は我々の発明を十分に説明するものであり、他者は現在又は将来の知識を適用することによって様々な使用条件の下でこれを採用することができるであろう。
【図１】
2019506946.tif 000003
【図２】
2019506946.tif 000004
【図３】
2019506946.tif 000005
【図４】
2019506946.tif 000006
【図５】
2019506946.tif 000007
【図６】
2019506946.tif 000008
【図７】
2019506946.tif 000009
【図８】
2019506946.tif 000010
【図９】
2019506946.tif 000011
【図１０】
2019506946.tif 000012
【手続補正書】
【提出日】平成31年1月30日(2019.1.30)
【手続補正１】
【補正対象書類名】特許請求の範囲
【補正対象項目名】全文
【補正方法】変更
【補正の内容】
【特許請求の範囲】
【請求項１】
生物に用い、生物の体から液体を吸収して保持するための製品に使用する吸収性コアであって、吸収性コアは、第１のセクション及び第２のセクションを有し、
第１のセクションは、液体がそこを通って移動できるように構成された多孔質材料の少なくとも１つの層から形成されており、第１のセクションの前記少なくとも１つの層はキルティングされており、複数の第１のポケットを形成する固定線を有するとともに、複数の第１のポケットの各々は、低速で作用するが吸収能力の高い遊離したＳＡＰの一部で部分的に充填されており、キルティングされた第１のセクションは、第１のセクションの遊離したＳＡＰをコアに対して移動し難くしており、
第２のセクションは、液体がそこを通って移動できるように構成された多孔質材料の少なくとも１つの層から形成されており、第２のセクションの前記少なくとも１つの層はキルティングされており、第２のセクションは複数の第２のポケットを形成する固定線を有するとともに、複数の第２のポケットの各々は、高速で作用するが吸収能力の低い遊離したＳＡＰの一部で部分的に充填されており、キルティングされた第２のセクションは、第２のセクションの遊離したＳＡＰをコアに対して移動し難くしており、
コアの第１のセクション及びコアの第２のセクションは、互いに流体を通すように連通しており、コアは、生物に用いられるための構成として、コアの第１のセクションが、生物に対して体に面する側を形成し、コアの第２のセクションが、生物から離れて配置される遠い方に面する側を形成しており、
生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性コア。
【請求項２】
第１のセクションは２つの層を含み、第１のセクションのそれらの層の各々は、低速で作用するが吸収能力の高いＳＡＰの一部を含む複数の第１のポケットを含む、請求項１に記載の吸収性コア。
【請求項３】
高速作用ＳＡＰのボルテックス時間は約１分以下であり、低速作用ＳＡＰのボルテックス時間は約１分以上である、請求項１に記載の吸収性コア。
【請求項４】
前記ポケットの各々におけるＳＡＰの体積は、ポケットの容積の約２０パーセント未満である、請求項１に記載の吸収性コア。
【請求項５】
第１のポケットの各々における低速で作用するが吸収能力の高いＳＡＰの量は、第２のポケットの各々における高速で作用するが吸収能力の低いＳＡＰの量よりも少ない、請求項４に記載の吸収性コア。
【請求項６】
第１のセクションの固定線は交差しており、超音波接着又は熱接着又は接着剤による結合によって形成され、第２のセクションの固定線は交差しており、超音波接着又は熱接着又は接着剤による結合によって形成されている、請求項１に記載の吸収性コア。
【請求項７】
第１のポケットは第２のポケットに対してずらされている、請求項１に記載の吸収性コア。
【請求項８】
第１のセクションと第２のセクションとの間の流体移動を促進するための不織布のウィッキング層をさらに含む、請求項１に記載の吸収性コア。
【請求項９】
第１のセクションの上に配置された流体捕捉層をさらに含み、流体捕捉層は、吸収性コアが生物によって使用される時、第１のセクションと生物との間に配置される、請求項１又は８に記載の吸収性コア。
【請求項１０】
請求項１に記載の吸収性コアを含む吸収性衣服。
【請求項１１】
請求項１に記載の吸収性コアを含む、ベッド又は他の家具用のカバー。
【請求項１２】
請求項１に記載の吸収性コアを含む創傷被覆材。
【請求項１３】
請求項１に記載の吸収性コアを含む棺用ライナー。
【請求項１４】
請求項１に記載の吸収性コアを含む、液体化学物質の漏れを吸収して保持するための吸収性部材。
【手続補正２】
【補正対象書類名】明細書
【補正対象項目名】００５５
【補正方法】変更
【補正の内容】
【００５５】
更なる詳述がなくとも、前述した内容は我々の発明を十分に説明するものであり、他者は現在又は将来の知識を適用することによって様々な使用条件の下でこれを採用することができるであろう。
以下、出願当初の特許請求の範囲に記載された発明を付記する。
（付記１）
生物に用い、生物の体から液体を吸収して保持するための製品に使用する吸収性コアであって、吸収性コアは、第１のセクション及び第２のセクションを有し、第１のセクションは、液体がそこを通って移動できるように構成された多孔質材料の少なくとも１つの層から形成されており、第１のセクションの前記少なくとも１つの層はキルティングされているとともに、その中に低速で作用するが吸収能力の高いＳＡＰを含み、キルティングされた第１のセクションは、第１のセクションのＳＡＰをコアに対して移動し難くしており、第２のセクションは、液体がそこを通って移動できるように構成された多孔質材料の少なくとも１つの層から形成されており、第２のセクションの前記少なくとも１つの層はキルティングされているとともに、その中に高速で作用するが吸収能力の低いＳＡＰを含み、キルティングされた第２のセクションは、第２のセクションのＳＡＰをコアに対して移動し難くしており、コアの第１のセクション及びコアの第２のセクションは、互いに流体を通すように連通しており、コアは、生物に用いられるための構成として、コアの第１のセクションが、生物に対して体に面する側を形成し、コアの第２のセクションが、生物から離れて配置される遠い方に面する側を形成しており、生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性コア。
（付記２）
第１のセクションの前記少なくとも１つの層は、複数の第１のポケットを含み、第１のポケットの各々は、その中に低速で作用するが吸収能力の高いＳＡＰの一部を含み、第２のセクションは、前記第２の層の間に複数の第２ポケットを含み、第２のポケットの各々は、その中に高速で作用するが吸収能力の低いＳＡＰの一部を含む、付記１に記載の吸収性コア。
（付記３）
第１のセクションの前記少なくとも１つの層は不織布材料で形成されており、第２のセクションの前記少なくとも１つの層は不織布材料で形成されている、付記２に記載の吸収性コア。
（付記４）
前記第１のセクションは２つの層を含み、第１のセクションのそれらの層の各々は、低速で作用するが吸収能力の高いＳＡＰの一部を含む複数の第１のポケットを含む、付記２に記載の吸収性コア。
（付記５）
第１のポケットの各々は、低速で作用するが吸収能力の高いＳＡＰの一部で部分的に充填され、第２のポケットの各々は、高速で作用するが吸収能力の低いＳＡＰの一部で部分的に充填されている、付記２に記載の吸収性コア。
（付記６）
高速作用ＳＡＰのボルテックス時間は約１分以下であり、低速作用ＳＡＰのボルテックス時間は約１分以上である、付記１に記載の吸収性コア。
（付記７）
第１のセクションの前記少なくとも１つの層は親水性材料を含み、第１のセクションの前記少なくとも１つの層は親水性材料を含む、付記２に記載の吸収性コア。
（付記８）
前記親水性材料はスパンボンドポリプロピレンを含む、付記７に記載の吸収性コア。
（付記９）
第２のセクションの前記少なくとも１つの層は疎水性又はフィルム様材料を含む、付記２に記載の吸収性コア。
（付記１０）
前記ポケットの各々におけるＳＡＰの体積は、ポケットの体積の約２０パーセント未満である、付記５に記載の吸収性コア。
（付記１１）
前記ポリプロピレンは約１０〜２０グラム／平方メートルの範囲の坪量を有する、付記８に記載の吸収性コア。
（付記１２）
第１のポケットの各々における低速で作用するが吸収能力の高いＳＡＰの量は、第２のポケットの各々における高速で作用するが吸収能力の低いＳＡＰの量よりも少ない、付記１０に記載の吸収性コア。
（付記１３）
第１のポケットは複数の固定線によって形成され、第２のポケットは複数の固定線によって形成されている、付記２に記載の吸収性コア。
（付記１４）
第１のセクションの固定線は交差しており、超音波接着又は熱接着又は接着剤による結合によって形成され、第２の固定線は交差しており、超音波接着又は熱接着又は接着剤による結合によって形成されている、付記１３に記載の吸収性コア。
（付記１５）
第１のポケットは第２のポケットに対してずらされている、付記２に記載の吸収性コア。
（付記１６）
低速で作用するが吸収能力の高いＳＡＰのポケットサイズに対する比は、約０．４ｇｍ／２．２５平方センチメートル／第１のポケットを超えず、高速で作用するが吸収能力の低いＳＡＰのポケットサイズに対する比は、約０．４ｇｍ／２．２５平方センチメートル／第１のポケットを超えない、付記１０に記載の吸収性コア。
（付記１７）
第１のセクションの前記少なくとも１つの層は穴の開いたフィルム材料で形成され、第２のセクションの前記少なくとも１つの層は穴の開いたフィルム材料で形成されている、付記２に記載の吸収性コア。
（付記１８）
第２のセクションから第２のセクションへの流体移動を促進するためのウィッキング層をさらに含む、付記１に記載の吸収性コア。
（付記１９）
ウィッキング層はエアレイド材料を含む、付記１８に記載の吸収性コア。
（付記２０）
第１のセクションの上に配置された流体捕捉層をさらに含み、流体捕捉層は、吸収性コアが生物によって使用される時、第１のセクションと生物との間に配置される、付記１に記載の吸収性コア。
（付記２１）
第１のセクションの上に配置された流体捕捉層をさらに含み、流体捕捉層は、吸収性コアが生物によって使用される時、第１のセクションと生物との間に配置される、付記１８に記載の吸収性コア。
（付記２２）
第１のセクションは第２のセクションから視覚的に区別可能である、付記１に記載の吸収性コア。
（付記２３）
視覚的な区別可能性は、ＳＡＰの色、各セクションの色、各セクションにおける表示、ポケットの形状、及びポケットの大きさのうちの少なくとも１つによって提供される、付記２２に記載の吸収性コア。
（付記２４）
付記１に記載の吸収性コアを含む吸収性衣服。
（付記２５）
前記衣服はバリアフィルム層を含み、前記コアはバリアフィルム層の上に配置され、前記コアは、前記吸収性衣服が生物によって着用される時、生物とバリアフィルム層との間に配置される、付記２４に記載の吸収性衣服。
（付記２６）
付記１に記載の吸収性コアを含む、ベッド又は他の家具用のカバー。
（付記２７）
前記カバーはバリアフィルム層を含み、前記コアはバリアフィルム層の上に配置され、前記コアは、前記カバーがベッド又は他の家具の上に配置される時、生物とバリアフィルム層との間に配置される、付記２６に記載の吸収性衣服。
（付記２８）
付記１に記載の吸収性コアを含む創傷被覆材。
（付記２９）
付記１に記載の吸収性コアを含む棺用ライナー。
（付記３０）
前記棺用ライナーはバリアフィルム層を含み、前記コアはバリアフィルム層の上に配置され、前記棺用ライナーが棺の中に配置され、生物が前記棺用ライナーの上に置かれる時、前記コアは生物とバリアフィルム層との間に配置される、付記２９に記載の棺用ライナー。
（付記３１）
液体化学物質の漏れを吸収して保持するための吸収性部材であって、前記吸収性コアは、第１のセクション及び第２のセクションを有し、第１のセクションは、液体がそこを通って移動できるように構成された多孔質材料の少なくとも１つの層から形成されており、第１のセクションの前記少なくとも１つの層はキルティングされているとともに、その中に低速で作用するが吸収能力の高いＳＡＰを含み、キルティングされた第１のセクションは、第１のセクションのＳＡＰをコアに対して移動し難くしており、第２のセクションは、液体がそこを通って移動できるように構成された多孔質材料の少なくとも１つの層から形成されており、第２のセクションの前記少なくとも１つの層はキルティングされているとともに、その中に高速で作用するが吸収能力の低いＳＡＰを含み、キルティングされた第２のセクションは、第２のセクションのＳＡＰをコアに対して移動し難くしており、コアの第１のセクション及びコアの第２のセクションは、互いに流体を通すように連通しており、コアは、第１のセクションが液体化学物質と交わると、その液体化学物質は第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性部材。
（付記３２）
第１のセクションの前記少なくとも１つの層は、複数の第１のポケットを含み、第１のポケットの各々は、その中に低速で作用するが吸収能力の高いＳＡＰの一部を含み、第２のセクションは、前記第２の層の間に複数の第２ポケットを含み、第２のポケットの各々は、その中に高速で作用するが吸収能力の低いＳＡＰの一部を含む、付記３１に記載の吸収性部材。
（付記３３）
生物に使用され、生物から液体を吸収して保持するように構成された製品に使用するための吸収性構造であって、前記吸収性本体は第１のセクション及び第２のセクションを含み、第１のセクションは第２のセクションの上に配置されるとともに、生物に対して面するように構成され、第１のセクションは、接触した液体をゆっくりと吸収するように構成され、第２のセクションは生物から離れて配置され、第１のセクションは生物からの滲出液が第２のセクションまで迅速に通過可能であるように構成され、第２のセクションは高速で作用するが吸収能力の低いＳＡＰをその中に含み、高速で作用するが吸収能力の低いＳＡＰは、住友Ａｑｕａｋｅｅｐ（登録商標）ＢＡ４０Ｂ及びＡｑｕａｋｅｅｐ（登録商標）１０ＳＨ−ＰＢの少なくとも１つを含み、生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で第１のセクションは、高速作用ＳＡＰから液体を脱着させるか取り除くとともに、その液体を吸収する、吸収性構造。
（付記３４）
生物に使用され、生物の体から液体を吸収して保持するように構成された製品に使用するための吸収性コアであって、前記吸収性コアは第１のセクション及び第２のセクションを有し、第１のセクションは、液体がそこを通って移動できるように構成された多孔質材料で形成されており、第１のセクションはキルティングされているとともに、複数の中空のポケットを含み、第１のセクションの各ポケットは、低速で作用するが吸収能力の高いＳＡＰの一部で部分的に充填され、キルティングされた第１のセクションは、第１のセクションのＳＡＰをコアに対して移動し難くしており、第２のセクションはキルティングされているとともに、複数の中空のポケットを含み、第２のセクションの各ポケットは、高速で作用するが吸収能力の低いＳＡＰの一部で部分的に充填され、キルティングされた第２のセクションは、第２のセクションのＳＡＰをコアに対して移動し難くしており、コアの第１のセクション及びコアの第２のセクションは、互いに流体を通すように連通しており、コアは、生物に用いられるための構成として、コアの第１のセクションが、生物に対して体に面する側を形成し、コアの第２のセクションが、生物から離れて配置される遠い方に面する側を形成しており、生物の体から液体が排泄され、滲出し、又は他の態様で出されると、第１のセクションを通って第２のセクションの高速作用ＳＡＰまで流れ、その中の高速作用ＳＡＰによって素早く急速に吸収され、一方で低速作用ＳＡＰは、高速作用ＳＡＰから液体を脱着させるか取り除くとともに、その液体を吸収する、吸収性コア。
（付記３５）
前記ポケットの各々におけるＳＡＰはポケット内で自由に動くことができる、付記３４に記載の吸収性コア。
（付記３６）
第１のセクションの前記少なくとも１つの層は不織布材料で形成されており、第２のセクションの前記少なくとも１つの層は不織布材料で形成されている、付記３４に記載の吸収性コア。
（付記３７）
前記第１のセクションは２つの層を含み、第１のセクションのそれらの層の各々は、低速で作用するが吸収能力の高いＳＡＰの一部を含む複数の第１のポケットを含む、付記３４に記載の吸収性コア。
（付記３８）
第１のセクションの前記少なくとも１つの層は不織布材料で形成されており、第２のセクションの前記少なくとも１つの層は不織布材料で形成されている、付記３４に記載の吸収性コア。
（付記３９）
前記第１のセクションは２つの層を含み、第１のセクションのそれらの層の各々は、低速で作用するが吸収能力の高いＳＡＰの一部を含む複数の第１のポケットを含む、付記３５に記載の吸収性コア。
（付記４０）
第１のセクションの前記少なくとも１つの層は不織布材料で形成されており、第２のセクションの前記少なくとも１つの層は不織布材料で形成されている、付記３６に記載の吸収性コア。
（付記４１）
前記第１のセクションは２つの層を含み、第１のセクションのそれらの層の各々は、低速で作用するが吸収能力の高いＳＡＰの一部を含む複数の第１のポケットを含む、付記３６に記載の吸収性コア。
【国際調査報告】
2019506946.tif 000013
2019506946.tif 000014